(57)【要約】【課題】振動低減ダンパにおいて、簡単且つ安価な構成で十分な減衰作用を得る。【解決手段】回転軸１にリング形状をなす環状体２を固定し、この環状体２に周方向に均等間隔で複数の球形をなすダンパ室３を設け、このダンパ室３内に転動自在な球体４を収納すると共に、この球体４の移動に対して所定の抵抗力を付与する粘性流体５を封入することで、回転軸１のねじり振動や縦振動に対して、球体４が粘性流体５の抵抗力を受けながらダンパ室３内を回転軸１の周方向及び軸方向に相対移動することで、振動を確実に減衰する。【選択図】      図１−１
2007182986.tif 000002
【特許請求の範囲】
【請求項１】
回転機械の回転軸に取付けられて該回転軸の振動を低減する振動低減ダンパにおいて、前記回転軸に固定されたリング形状をなす環状体と、該環状体内に周方向に均等間隔で設けられた複数のダンパ室と、該ダンパ室内に少なくとも周方向に沿って移動自在に収納された移動体と、前記移動体の移動に対して所定の抵抗力を付与する抵抗力付与手段とを具えたことを特徴とする振動低減ダンパ。
【請求項２】
請求項１に記載の振動低減ダンパにおいて、前記抵抗力付与手段は、前記ダンパ室に封入された粘性流体であることを特徴とする振動低減ダンパ。
【請求項３】
請求項２に記載の振動低減ダンパにおいて、前記複数のダンパ室は、オリフィス通路により連通されたことを特徴とする振動低減ダンパ。
【請求項４】
請求項１に記載の振動低減ダンパにおいて、前記抵抗力付与手段は、前記ダンパ室にて、前記移動体の移動方向前後に設けられた防振ゴムであることを特徴とする振動低減ダンパ。
【請求項５】
請求項１から４のいずれか一つに記載の振動低減ダンパにおいて、前記移動体は、前記ダンパ室内で転動自在な転動体であることを特徴とする振動低減ダンパ。
【請求項６】
請求項１に記載の振動低減ダンパにおいて、前記移動体は、移動方向前後に異なる磁極を有する磁石であり、前記抵抗力付与手段は、前記移動体との間で該移動体の移動方向に対する反発力が発生する磁極を有する磁石であることを特徴とする振動低減ダンパ。
【請求項７】
回転機械の回転軸に取付けられて該回転軸の振動を低減する振動低減ダンパにおいて、前記回転軸に固定されたリング形状をなす環状体と、該環状体内に周方向に沿って設けられたダンパ室と、該ダンパ室内に少なくとも周方向に沿って移動自在に収納された移動体と、前記移動体の移動に対して所定の抵抗力を付与する抵抗力付与手段とを具えたことを特徴とする振動低減ダンパ。
【請求項８】
請求項７に記載の振動低減ダンパにおいて、前記環状体は、一対の対向する第１円板からなり、該一対の第１円板の間に前記抵抗力付与手段としての防振ゴムを介して前記移動体としての第２円板が挟持されたことを特徴とする振動低減ダンパ。
【請求項９】
請求項７に記載の振動低減ダンパにおいて、前記環状体は、環状溝を有し、該環状溝に前記抵抗力付与手段としての防振ゴムを介して前記移動体としての円板が嵌着されたことを特徴とする振動低減ダンパ。
【請求項１０】
請求項７に記載の振動低減ダンパにおいて、前記環状体は、環状溝を有し、該環状溝に前記抵抗力付与手段としての防振ゴムと前記移動体が周方向に沿って交互に装着されたことを特徴とする振動低減ダンパ。
【請求項１１】
回転機械の回転軸に取付けられて該回転軸の振動を低減する振動低減ダンパにおいて、前記回転軸に固定されたリング形状をなす環状体と、該環状体に周方向に均等間隔で設けられた複数の移動体と、前記環状体と前記移動体とを連結する弾性手段とを具えたことを特徴とする振動低減ダンパ。
【請求項１２】
回転機械の回転軸に取付けられて該回転軸の振動を低減する振動低減ダンパにおいて、周方向に均等間隔で位置して基端部が前記回転軸の外周面に固定された弾性力を有する複数の支持部材と、該支持部材の先端部に周方向に沿って設けられて隣接する端部同士が接触して周方向に沿って摺動自在な摺動部材とを具えたことを特徴とする振動低減ダンパ。
【請求項１３】
請求項１２に記載の振動低減ダンパにおいて、前記摺動部材の端部同士が接触するその接触部に防振ゴムが介装されたことを特徴とする振動低減ダンパ。
【請求項１４】
回転機械の回転軸に取付けられて該回転軸の振動を低減する振動低減ダンパにおいて、前記回転軸に固定されて内部にリング形状をなすダンパ室を有する環状体と、該環状体内に周方向に均等間隔で位置して基端部が前記回転軸に固定された複数の板部材と、前記ダンパ室に封入された粘性流体とを具えたことを特徴とする振動低減ダンパ。
【発明の詳細な説明】
【技術分野】
【０００１】
本発明は、圧縮機、タービン、内燃機関などの回転機械における回転軸のねじり振動を低減する振動低減ダンパに関するものである。
【背景技術】
【０００２】
従来の振動低減ダンパとしては、例えば、下記特許文献１に記載されたものがある。この特許文献１に記載された振動低減ダンパは、回転軸に固着されたケーシングの内部に球形の減衰室を複数設け、各減衰室に球体を転動自在に収納し、回転軸のねじり振動及び縦振動が三次元方向の振動に対して減衰作用が生じるように、球体と減衰室の内壁面との間に転がり摩擦力をもたせるようにしたものであり、減衰室の内壁面に鉛またはゴムからなる摩擦材を間隔をあけて複数個固着し、転がり摩擦力をさらに大きくするものである。
【０００３】
【特許文献１】特許第３６３１９０２号公報
【発明の開示】
【発明が解決しようとする課題】
【０００４】
ところが、上述した振動低減ダンパにあっては、球体と減衰室の内壁面との間に転がり摩擦力をもたせるようにしたものであるため、十分な減衰作用が得られず、減衰効果に限界がある。また、転がり摩擦力を大きくして減衰作用をより高めるために、減衰室の内壁面鉛またはゴムからなる摩擦材を間隔をあけて複数固着しており、この場合、その機能上、摩擦材を減衰室の内壁面に対して広い範囲にわたって埋設する必要があるため、加工工数が増大して製造コストが増加してしまうという問題がある。
【０００５】
本発明はこのような問題を解決するものであって、簡単な構成で十分な減衰作用を得ることができる安価な振動低減ダンパを提供することを目的とする。
【課題を解決するための手段】
【０００６】
上述の目的を達成するための請求項１の発明の振動低減ダンパは、回転機械の回転軸に取付けられて該回転軸の振動を低減する振動低減ダンパにおいて、前記回転軸に固定されたリング形状をなす環状体と、該環状体内に周方向に均等間隔で設けられた複数のダンパ室と、該ダンパ室内に少なくとも周方向に沿って移動自在に収納された移動体と、前記移動体の移動に対して所定の抵抗力を付与する抵抗力付与手段とを具えたことを特徴とするものである。
【０００７】
請求項２の発明の振動低減ダンパでは、前記抵抗力付与手段は、前記ダンパ室に封入された粘性流体であることを特徴としている。
【０００８】
請求項３の発明の振動低減ダンパでは、前記複数のダンパ室は、オリフィス通路により連通されたことを特徴としている。
【０００９】
請求項４の発明の振動低減ダンパでは、前記抵抗力付与手段は、前記ダンパ室にて、前記移動体の移動方向前後に設けられた防振ゴムであることを特徴としている。
【００１０】
請求項５の発明の振動低減ダンパでは、前記移動体は、前記ダンパ室内で転動自在な転動体であることを特徴としている。
【００１１】
請求項６の発明の振動低減ダンパでは、前記移動体は、移動方向前後に異なる磁極を有する磁石であり、前記抵抗力付与手段は、前記移動体との間で該移動体の移動方向に対する反発力が発生する磁極を有する磁石であることを特徴としている。
【００１２】
請求項７の発明の振動低減ダンパは、回転機械の回転軸に取付けられて該回転軸の振動を低減する振動低減ダンパにおいて、前記回転軸に固定されたリング形状をなす環状体と、該環状体内に周方向に沿って設けられたダンパ室と、該ダンパ室内に少なくとも周方向に沿って移動自在に収納された移動体と、前記移動体の移動に対して所定の抵抗力を付与する抵抗力付与手段とを具えたことを特徴とするものである。
【００１３】
請求項８の発明の振動低減ダンパでは、前記環状体は、一対の対向する第１円板からなり、該一対の第１円板の間に前記抵抗力付与手段としての防振ゴムを介して前記移動体としての第２円板が挟持されたことを特徴としている。
【００１４】
請求項９の発明の振動低減ダンパでは、前記環状体は、環状溝を有し、該環状溝に前記抵抗力付与手段としての防振ゴムを介して前記移動体としての円板が嵌着されたことを特徴としている。
【００１５】
請求項１０の発明の振動低減ダンパでは、前記環状体は、環状溝を有し、該環状溝に前記抵抗力付与手段としての防振ゴムと前記移動体が周方向に沿って交互に装着されたことを特徴としている。
【００１６】
請求項１１の発明の振動低減ダンパは、回転機械の回転軸に取付けられて該回転軸の振動を低減する振動低減ダンパにおいて、前記回転軸に固定されたリング形状をなす環状体と、該環状体に周方向に均等間隔で設けられた複数の移動体と、前記環状体と前記移動体とを連結する弾性手段とを具えたことを特徴とするのである。
【００１７】
請求項１２の発明の振動低減ダンパは、回転機械の回転軸に取付けられて該回転軸の振動を低減する振動低減ダンパにおいて、周方向に均等間隔で位置して基端部が前記回転軸の外周面に固定された弾性力を有する複数の支持部材と、該支持部材の先端部に周方向に沿って設けられて隣接する端部同士が接触して周方向に沿って摺動自在な摺動部材とを具えたことを特徴とするものである。
【００１８】
請求項１３の発明の振動低減ダンパでは、前記摺動部材の端部同士が接触するその接触部に防振ゴムが介装されたことを特徴としている。
【００１９】
請求項１４の発明の振動低減ダンパは、回転機械の回転軸に取付けられて該回転軸の振動を低減する振動低減ダンパにおいて、前記回転軸に固定されて内部にリング形状をなすダンパ室を有する環状体と、該環状体内に周方向に均等間隔で位置して基端部が前記回転軸に固定された複数の板部材と、前記ダンパ室に封入された粘性流体とを具えたことを特徴とするものである。
【発明の効果】
【００２０】
請求項１の発明の振動低減ダンパによれば、回転軸にリング形状をなす環状体を固定し、この環状体に周方向に均等間隔で複数のダンパ室を設け、このダンパ室内に少なくとも周方向に沿って移動自在な移動体を収納し、この移動体の移動に対して所定の抵抗力を付与する抵抗力付与手段を設けたので、回転軸のねじり振動や縦振動に対して、移動体が所定の抵抗力を受けながら相対移動することでダンピングが機能し、振動を確実に減衰することができる。
【００２１】
請求項２の発明の振動低減ダンパによれば、抵抗力付与手段をダンパ室に封入された粘性流体としたので、簡単で、且つ、安価な構成で、確実に振動を減衰することができる。
【００２２】
請求項３の発明の振動低減ダンパによれば、複数のダンパ室をオリフィス通路により連通したので、回転軸のねじり振動に対して、移動体が所定の抵抗力を受けながら相対移動するとき、ダンパ室の粘性流体がオリフィス通路を通って隣接するダンパ室に移動するため、ここに更なる減衰力が発生して振動を確実に減衰することができる。
【００２３】
請求項４の発明の振動低減ダンパによれば、抵抗力付与手段をダンパ室に移動体の移動方向前後に設けられた防振ゴムとしたので、簡単で、且つ、安価な構成で、確実に振動を減衰することができる。
【００２４】
請求項５の発明の振動低減ダンパによれば、移動体をダンパ室内で転動自在な転動体としたので、回転軸のねじり振動や縦振動に対して、転動体が所定の抵抗力を受けながらダンパ室を転動することでダンピングが機能し、振動を確実に減衰することができる。
【００２５】
請求項６の発明の振動低減ダンパによれば、移動体をその移動方向前後に異なる磁極を有する磁石とし、抵抗力付与手段を移動体との間でその移動方向に対する反発力が発生する磁極を有する磁石としたので、環状体内に磁石を配置するだけで、簡単で、且つ、安価に振動を減衰することができる。
【００２６】
請求項７の発明の振動低減ダンパによれば、回転軸にリング形状をなす環状体を固定し、この環状体内に周方向に沿ってダンパ室を設け、このダンパ室内に少なくとも周方向に沿って移動自在に移動体を収納し、この移動体の移動に対して所定の抵抗力を付与する抵抗力付与手段を設けたので、回転軸のねじり振動や縦振動に対して、移動体が所定の抵抗力を受けながら相対移動することでダンピングが機能し、振動を確実に減衰することができる。
【００２７】
請求項８の発明の振動低減ダンパによれば、環状体を一対の対向する第１円板とし、この一対の第１円板の間に抵抗力付与手段としての防振ゴムを介して移動体としての第２円板を挟持したので、簡単で、且つ、安価に振動を減衰することができる。
【００２８】
請求項９の発明の振動低減ダンパによれば、環状体に環状溝を形成し、この環状溝に抵抗力付与手段としての防振ゴムを介して移動体としての円板を嵌着したので、簡単で、且つ、安価に振動を減衰することができる。
【００２９】
請求項１０の発明の振動低減ダンパによれば、環状体に環状溝を形成し、この環状溝に抵抗力付与手段としての防振ゴムと移動体を周方向に沿って交互に装着したので、防振ゴムと移動体の数や大きさを調整することで、発生する振動を適正に減衰することができる。
【００３０】
請求項１１の発明の振動低減ダンパによれば、回転軸にリング形状をなす環状体を固定し、この環状体内に周方向に均等間隔で複数の移動体を設け、環状体と移動体とを弾性手段により連結したので、環状体の外部に弾性手段を介して移動体を連結することで、回転軸に対して容易に抵抗力付与機能を付加することができる。
【００３１】
請求項１２の発明の振動低減ダンパによれば、周方向に均等間隔で弾性力を有する複数の支持部材を位置し、その基端部を回転軸の外周面に固定し、支持部材の先端部に周方向に沿って隣接する端部同士が接触して周方向に沿って摺動自在な摺動部材を設けたので、回転軸のねじり振動や縦振動に対して、摺動部材同士が所定の摩擦力を受けながら摺動することでダンピングが機能し、振動を確実に減衰することができる。
【００３２】
請求項１３の発明の振動低減ダンパによれば、摺動部材の端部同士が接触するその接触部に防振ゴムを介装したので、摺動部材同士が防振ゴムとの間で摩擦力を受けながら摺動するため、振動を確実に減衰することができる。
【００３３】
請求項１４の発明の振動低減ダンパによれば、回転軸に内部にリング形状をなすダンパ室を有する環状体を固定し、この環状体内に周方向に複数の板部材を均等間隔で位置し、その基端部を回転軸に固定し、ダンパ室に粘性流体を封入したので、回転軸のねじり振動や縦振動に対して、板部材が所定の抵抗力を受けながら相対移動することでダンピングが機能し、振動を確実に減衰することができる。
【発明を実施するための最良の形態】
【００３４】
以下に、本発明に係る振動低減ダンパの実施例を図面に基づいて詳細に説明する。なお、この実施例により本発明が限定されるものではない。
【実施例１】
【００３５】
図１−１は、本発明の実施例１に係る振動低減ダンパを表す一部切欠正面図、図１−２は、実施例１の振動低減ダンパを表す一部切欠側面、図２は、実施例１の振動低減ダンパの製造方法を表す断面図である。
【００３６】
実施例１の振動低減ダンパは、回転機械の回転軸に取付けられ、この回転軸に発生する振動（ねじり振動や縦振動）を低減するものである。この振動低減ダンパにおいて、図１−１及び図１−２に示すように、回転自在に支持された回転軸１の外周面には、リング形状をなす環状体２が焼き嵌めなどにより固定されている。この環状体２内には、周方向に均等間隔で複数（本実施例では、８個）のダンパ室３が球形をなして形成されている。そして、この各ダンパ室３内には、移動体及び転動体としての球体４が収納されており、この球体４は、ダンパ室３よりも小径となっている。また、ダンパ室３内には、球体４の移動に対して所定の抵抗力を付与する抵抗力付与手段としての粘性流体（例えば、油）５が封入されている。
【００３７】
なお、球体４は、硬鋼材や胴合金など、比較的比重が大きい材料から構成されている。また、ダンパ室３の内径と球体４の外径との比率、ダンパ室３や球体４の数は、本実施例の振動低減ダンパが適用される回転機械のねじり振動や縦振動（軸方向振動）の発生形態に応じて適宜設定されるものである。
【００３８】
また、本実施例の振動低減ダンパにて、図２に示すように、環状体２は、ダンパ室３が二等分されるように、二分割された一対の環状体形成部材２ａ，２ｂがインローにより油密的に嵌合された状態で、複数のボルト６により結合されることで形成されている。
【００３９】
このように構成された本実施例の振動低減ダンパでは、図１−１及び図１−２に示すように、回転機械の運転時に、回転軸１に矢印Ｙで表すねじり振動が発生すると共に、矢印Ｘで表す縦振動が発生することがある。この場合、回転軸１のねじり振動や縦振動に対して、球体４が粘性流体５の抵抗力を受けながら、ダンパ室３内を回転軸１の周方向及び軸方向に相対移動することでダンピングが機能し、且つ、粘性流体５を圧縮することでスクイーズ効果により振動を確実に減衰することができる。また、このとき、球体４が球形のダンパ室３内を移動するため、球体４の移動が拘束されることはなく、動的なアンバランスの発生を防止することができる。
【００４０】
このように実施例１の振動低減ダンパにあっては、回転軸１にリング形状をなす環状体２を固定し、この環状体２に周方向に均等間隔で複数の球形をなすダンパ室３を設け、このダンパ室３内に転動自在な球体４を収納すると共に、この球体４の移動に対して所定の抵抗力を付与する粘性流体５を封入している。
【００４１】
従って、回転軸１のねじり振動や縦振動に対して、球体４が粘性流体５の抵抗力を受けながら、ダンパ室３内を回転軸１の周方向及び軸方向に相対移動することで、振動を確実に減衰することができる。また、ダンパ室３に球体４を収納すると共に、粘性流体５を封入するだけでよく、簡単で、且つ、安価な構成で、確実に振動を減衰することができる。
【実施例２】
【００４２】
図３−１は、本発明の実施例２に係る振動低減ダンパを表す一部切欠正面図、図３−２は、実施例２の振動低減ダンパを表す一部切欠側面、図４は、実施例２の振動低減ダンパの製造方法を表す断面図である。なお、前述した実施例で説明したものと同様の機能を有する部材には同一の符号を付して重複する説明は省略する。
【００４３】
実施例２の振動低減ダンパにおいて、図３−１及び図３−２に示すように、回転軸１の外周面にリング形状をなす環状体２が固定されている。この環状体２内には、周方向に均等間隔で複数のダンパ室７が円筒形をなして形成され、この各ダンパ室７内には、移動体及び転動体としての円柱体８が収納されている。このダンパ室７は、回転軸１の軸心と平行な軸心を有する円筒形であり、円柱体８は、このダンパ室７よりも小径の円柱形となっている。また、ダンパ室７内には、円柱体８の移動に対して所定の抵抗力を付与する抵抗力付与手段としての粘性流体５が封入されている。
【００４４】
また、本実施例の振動低減ダンパにて、図４に示すように、環状体２は、ダンパ室７が二等分されるように、二分割された一対の環状体形成部材２ｃ，２ｂがインローにより油密的に嵌合された状態で、複数のボルト６により結合されることで形成されている。
【００４５】
このように構成された本実施例の振動低減ダンパでは、図３−１及び図３−２に示すように、回転機械の運転時に、回転軸１に矢印Ｙで表すねじり振動が発生すると共に、矢印Ｘで表す縦振動が発生することがある。この場合、回転軸１のねじり振動や縦振動に対して、円柱体８が粘性流体５の抵抗力を受けながら、ダンパ室７内を回転軸１の周方向及び軸方向に相対移動することでダンピングが機能し、且つ、粘性流体５を圧縮することでスクイーズ効果により振動を確実に減衰することができる。また、このとき、円柱体８が円筒形のダンパ室７内を移動するため、円柱体８の移動が拘束されることはなく、動的なアンバランスの発生を防止することができる。
【００４６】
このように実施例２の振動低減ダンパにあっては、回転軸１にリング形状をなす環状体２を固定し、この環状体２に周方向に均等間隔で複数の円筒形をなすダンパ室７を設け、このダンパ室７内に転動自在な円柱体８を収納すると共に、この円柱体８の移動に対して所定の抵抗力を付与する粘性流体５を封入している。
【００４７】
従って、回転軸１のねじり振動や縦振動に対して、円柱体８が粘性流体５の抵抗力を受けながら、ダンパ室７内を回転軸１の周方向及び軸方向に相対移動することで、振動を確実に減衰することができる。また、ダンパ室７に円柱体８を収納すると共に、粘性流体５を封入するだけでよく、簡単で、且つ、安価な構成で、確実に振動を減衰することができる。
【実施例３】
【００４８】
図５−１は、本発明の実施例３に係る振動低減ダンパを表す一部切欠正面図、図５−２は、実施例３の振動低減ダンパを表す一部切欠側面である。なお、前述した実施例で説明したものと同様の機能を有する部材には同一の符号を付して重複する説明は省略する。
【００４９】
実施例３の振動低減ダンパにおいて、図５−１及び図５−２に示すように、回転軸１の外周面にリング形状をなす環状体２が固定されており、この環状体２内に周方向に均等間隔で複数のダンパ室３が球形をなして形成され、この各ダンパ室３内に球体４が収納されている。また、ダンパ室３内には、球体４の移動に対して所定の抵抗力を付与する抵抗力付与手段としての防振ゴム９が設けられている。この防振ゴム９は、ダンバ室３にて、球体４の移動方向前後、つまり、環状体２の周方向一方と他方に設けられている。
【００５０】
このように構成された本実施例の振動低減ダンパでは、回転機械の運転時に、回転軸１に矢印Ｙで表すねじり振動が発生すると共に、矢印Ｘで表す縦振動が発生することがある。この場合、回転軸１のねじり振動や縦振動に対して、球体４が防振ゴム９の抵抗力を受けながら、ダンパ室３内を回転軸１の周方向及び軸方向に相対移動することでダンピングが機能し、且つ、粘性流体５を圧縮することでスクイーズ効果により振動を確実に減衰することができる。
【００５１】
このように実施例３の振動低減ダンパにあっては、回転軸１にリング形状をなす環状体２を固定し、この環状体２に周方向に均等間隔で複数の球形をなすダンパ室３を設け、このダンパ室４内に転動自在な球体４を収納すると共に、この球体４の移動に対して所定の抵抗力を付与する防振ゴム９を設けている。
【００５２】
従って、回転軸１のねじり振動や縦振動に対して、球体４が防振ゴム９の抵抗力を受けながら、ダンパ室３内を回転軸１の周方向及び軸方向に相対移動することで、振動を確実に減衰することができる。また、ダンパ室３に球体４及び防振ゴム９を収納するだけでよく、簡単で、且つ、安価な構成で、確実に振動を減衰することができる。
【実施例４】
【００５３】
図６−１は、本発明の実施例４に係る振動低減ダンパを表す一部切欠正面図、図６−２は、実施例４の振動低減ダンパを表す一部切欠側面である。なお、前述した実施例で説明したものと同様の機能を有する部材には同一の符号を付して重複する説明は省略する。
【００５４】
実施例４の振動低減ダンパにおいて、図６−１及び図６−２に示すように、回転軸１の外周面にリング形状をなす環状体２が固定されている。この環状体２は、環状体２の直径方向に沿った分割線により半割り形状をなす一対の環状体形成部材２ｅ，２ｆからなり、この環状体形成部材２ｅ，２ｆに一体に形成されたフランジ１０ａ，１０ｂ同士が密着した状態で、複数のボルト１１により結合されることで形成されている。
【００５５】
なお、環状体２には、上述した実施例１と同様に、複数のダンパ室３が形成され、この各ダンパ室３内に球体４が収納されると共に、粘性流体５が封入されている。
【００５６】
このように構成された本実施例の振動低減ダンパでは、回転機械の運転時に、回転軸１に発生したねじり振動や縦振動に対して、球体４が粘性流体５の抵抗力を受けながら、ダンパ室３内を移動することでダンピングが機能し、且つ、粘性流体５を圧縮することでスクイーズ効果により振動を確実に減衰することができる。
【００５７】
このように実施例４の振動低減ダンパにあっては、半割り形状をなす一対の環状体形成部材２ｅ，２ｆを一体に形成されたフランジ１０ａ，１０ｂ同士が密着した状態でボルト１１により結合して形成し、この環状体２を回転軸１の外周面に固定し、この環状体２に形成したダンパ室３内に球体４を収納すると共に粘性流体５を封入している。
【００５８】
従って、一対の環状体形成部材２ｅ，２ｆにより回転軸１を挟持し、フランジ１０ａ，１０ｂ同士を密着した状態でボルト１１により結合することで、この回転軸１に装着することができ、回転軸１に対して後付けが可能となり、回転機械のトラブル対策などに対して効果的に適用することができる。
【実施例５】
【００５９】
図７−１は、本発明の実施例５に係る振動低減ダンパを表す一部切欠正面図、図７−２は、実施例５の振動低減ダンパを表す一部切欠側面である。なお、前述した実施例で説明したものと同様の機能を有する部材には同一の符号を付して重複する説明は省略する。
【００６０】
実施例５の振動低減ダンパにおいて、図７−１及び図７−２に示すように、回転軸１の外周面にリング形状をなす環状体２が固定されている。この環状体２内には、周方向に均等間隔で複数のダンパ室１２が扇形をなして形成され、この各ダンパ室１２内には、移動体としての扇体１３が収納されている。この扇体１３は、ダンパ室１２より小さい扇形をなし、ダンパ室１２の内壁面との間に所定の隙間が形成されている。また、ダンパ室１２内には、扇体１３の移動に対して所定の抵抗力を付与する抵抗力付与手段としての防振ゴム１４が設けられている。この防振ゴム１４は、ダンバ室１２にて、扇体１３の移動方向前後、つまり、環状体２の周方向一方と他方、回転軸１の軸方向一方と他方に設けられている。
【００６１】
このように構成された本実施例の振動低減ダンパでは、回転機械の運転時に、回転軸１に矢印Ｙで表すねじり振動が発生すると共に、矢印Ｘで表す縦振動が発生することがある。この場合、回転軸１のねじり振動や縦振動に対して、扇体１３が防振ゴム１４の抵抗力を受けながら、ダンパ室１２内を回転軸１の周方向及び軸方向に相対移動することでダンピングが機能し、且つ、防振ゴム１４を圧縮することでスクイーズ効果により振動を確実に減衰することができる。
【００６２】
このように実施例５の振動低減ダンパにあっては、回転軸１にリング形状をなす環状体２を固定し、この環状体２に周方向に均等間隔で複数の扇形をなすダンパ室１２を設け、このダンパ室１２内に移動自在な扇体１３を収納すると共に、この扇体１２の移動に対して所定の抵抗力を付与する防振ゴム１４を設けている。
【００６３】
従って、回転軸１のねじり振動や縦振動に対して、扇体１３が防振ゴム１４の抵抗力を受けながら、ダンパ室１２内を回転軸１の周方向及び軸方向に相対移動することで、振動を確実に減衰することができる。また、ダンパ室１２に扇体１３及び防振ゴム１４を収納するだけでよく、簡単で、且つ、安価な構成で、確実に振動を減衰することができる。
【実施例６】
【００６４】
図８は、本発明の実施例６に係る振動低減ダンパを表す一部切欠正面図である。なお、前述した実施例で説明したものと同様の機能を有する部材には同一の符号を付して重複する説明は省略する。
【００６５】
実施例６の振動低減ダンパにおいて、図８に示すように、回転軸１に環状体２が固定されており、この環状体２内に複数のダンパ室１２が扇形をなして形成され、この各ダンパ室１２内に扇体１３が収納されている。この扇体１３は、ダンパ室１２より小さい扇形をなし、ダンパ室１２の内壁面との間には、扇体１３の移動に対して所定の抵抗力を付与する抵抗力付与手段としての粘性流体１５が封入されている。
【００６６】
このように構成された本実施例の振動低減ダンパでは、回転機械の運転時に、回転軸１に発生したねじり振動や縦振動に対して、扇体１３が粘性流体１５の抵抗力を受けながら、ダンパ室１２内を相対移動することでダンピングが機能し、且つ、防振ゴム１４を圧縮することでスクイーズ効果により振動を確実に減衰することができる。
【００６７】
このように実施例６の振動低減ダンパにあっては、回転軸１にリング形状をなす環状体２を固定し、この環状体２に周方向に均等間隔で複数の扇形をなすダンパ室１２を設け、このダンパ室１２内に移動自在な扇体１３を収納すると共に、この扇体１２の移動に対して所定の抵抗力を付与する粘性流体１５を封入している。
【００６８】
従って、回転軸１のねじり振動や縦振動に対して、扇体１３が粘性流体１５の抵抗力を受けながら、ダンパ室１２内を回転軸１の周方向及び軸方向に相対移動することで、振動を確実に減衰することができる。また、ダンパ室１２に扇体１３を収納すると共に、粘性流体１５を封入するだけでよく、簡単で、且つ、安価な構成で、確実に振動を減衰することができる。
【実施例７】
【００６９】
図９は、本発明の実施例７に係る振動低減ダンパを表す一部切欠正面図である。なお、前述した実施例で説明したものと同様の機能を有する部材には同一の符号を付して重複する説明は省略する。
【００７０】
実施例７の振動低減ダンパにおいて、図９に示すように、回転軸１に環状体２が固定されており、この環状体２内に複数のダンパ室１２が扇形をなして形成されると共に、各ダンパ室１２は、オリフィス通路１６によりそれぞれ連通されている。そして、この各ダンパ室１２内に扇体１３が収納されると共に、粘性流体１５が封入されている。
【００７１】
このように構成された本実施例の振動低減ダンパでは、回転機械の運転時に、回転軸１に発生したねじり振動や縦振動に対して、扇体１３が粘性流体１５の抵抗力を受けながら、ダンパ室１２内を相対移動することでダンピングが機能し、且つ、防振ゴム１４を圧縮することでスクイーズ効果により振動を確実に減衰することができる。また、各扇体１３がダンパ室１２で相対移動するとき、ダンパ室１２の粘性流体１５がオリフィス通路１６を通って隣接するダンパ室１２に移動するため、ここに更なる減衰力が発生して振動を確実に減衰することができる。
【００７２】
このように実施例７の振動低減ダンパにあっては、回転軸１にリング形状をなす環状体２を固定し、この環状体２に周方向に均等間隔で複数のダンパ室１２を設けると共に、各ダンパ室１２をオリフィス通路１６により連通し、このダンパ室１２内に移動自在な扇体１３を収納すると共に、この扇体１２の移動に対して所定の抵抗力を付与する粘性流体１５を封入している。
【００７３】
従って、回転軸１のねじり振動や縦振動に対して、扇体１３が粘性流体１５の抵抗力を受けながら、ダンパ室１２内を回転軸１の周方向及び軸方向に相対移動すると共に、このとき、ダンパ室１２の粘性流体１５がオリフィス通路１６を通って隣接するダンパ室１２に移動することで、振動を確実に減衰することができる。
【実施例８】
【００７４】
図１０は、本発明の実施例８に係る振動低減ダンパを表す一部切欠正面図である。なお、前述した実施例で説明したものと同様の機能を有する部材には同一の符号を付して重複する説明は省略する。
【００７５】
実施例８の振動低減ダンパにおいて、図１０に示すように、回転軸１に環状体２が固定されており、この環状体２内に複数のダンパ室１２が扇形をなして形成されている。この各ダンパ室１２内に扇形をなす移動体としての第１永久磁石１７が収納されている。そして、この第１永久磁石１７は、ダンパ室１２より小さい扇形をなし、ダンパ室１２の内壁面との間に所定の隙間が形成されている。また、環状体２には、第１永久磁石１７の移動に対して所定の抵抗力を付与する抵抗力付与手段としての第２永久磁石１８が設けられている。この場合、第１永久磁石１７は、移動可能な周方向前後に異なる磁極（Ｓ−Ｎ）を有する磁石であり、第２永久磁石１８は、この第１永久磁石１７との間でその移動方向に対する反発力が発生する磁極（Ｎ−Ｓ）を有する磁石である。即ち、各第１永久磁石１７の間に第２永久磁石１８がそれぞれ位置しており、互いに対向する端面の磁極が同じ磁極（Ｎ同士またはＳ同士）となっている。
【００７６】
このように構成された本実施例の振動低減ダンパでは、回転機械の運転時に、回転軸１に発生したねじり振動に対して、第１永久磁石１７が第２永久磁石１８の反発力を受けながら、ダンパ室１２内を相対移動することでダンピングが機能し、振動を確実に減衰することができる。
【００７７】
このように実施例８の振動低減ダンパにあっては、回転軸１にリング形状をなす環状体２を固定し、この環状体２に周方向に均等間隔で複数の扇形をなすダンパ室１２を設け、このダンパ室１２内に移動自在な第１永久磁石１７を収納すると共に、この第１永久磁石１７の移動に対して所定の反発力を付与する第２永久磁石１８を設けている。
【００７８】
従って、回転軸１のねじり振動に対して、第１永久磁石１７が第２永久磁石１８の反発力を受けながら、ダンパ室１２内を回転軸１の周方向に相対移動することで、振動を確実に減衰することができる。また、環状体２に２種類の永久磁石１７，１８を収納するだけでよく、簡単で、且つ、安価な構成で、確実に振動を減衰することができる。
【実施例９】
【００７９】
図１１は、本発明の実施例９に係る振動低減ダンパを表す一部切欠正面図である。なお、前述した実施例で説明したものと同様の機能を有する部材には同一の符号を付して重複する説明は省略する。
【００８０】
実施例９の振動低減ダンパにおいて、図１１に示すように、回転軸１に環状体２が固定されており、この環状体２内に複数のダンパ室１２が扇形をなして形成され、この各ダンパ室１２内に第１永久磁石１７が収納されている。また、環状体２には、第１永久磁石１７の移動に対して所定の抵抗力を付与する抵抗力付与手段としての電磁石１９が設けられている。この電磁石１９は、鉄芯１９ａとコイル１９ｂと電源１９ｃとから構成されている。この場合、第１永久磁石１７は、移動可能な周方向前後に異なる磁極（Ｓ−Ｎ）を有する磁石であり、電磁石１９は、この第１永久磁石１７との間でその移動方向に対する反発力が発生する磁極（Ｎ−Ｓ）を発生させる磁石である。即ち、各第１永久磁石１７の間に電磁石１９がそれぞれ位置しており、電磁石１９は第１永久磁石１７に対向する端面に同じ磁極（Ｎ同士またはＳ同士）を発生可能となっている。
【００８１】
このように構成された本実施例の振動低減ダンパでは、回転機械の運転時に、回転軸１に発生したねじり振動に対して、第１永久磁石１７が第２永久磁石１８の反発力を受けながら、ダンパ室１２内を相対移動することでダンピングが機能し、振動を確実に減衰することができる。
【００８２】
このように実施例９の振動低減ダンパにあっては、回転軸１にリング形状をなす環状体２を固定し、この環状体２に周方向に均等間隔で複数の扇形をなすダンパ室１２を設け、このダンパ室１２内に移動自在な第１永久磁石１７を収納すると共に、この第１永久磁石１７の移動に対して所定の反発力を付与する電磁石１９を設けている。
【００８３】
従って、回転軸１のねじり振動に対して、第１永久磁石１７が電磁石１９の反発力を受けながら、ダンパ室１２内を回転軸１の周方向に相対移動することで、振動を確実に減衰することができる。また、回転軸１に発生したねじり振動の大きさに応じて電磁石１９への電流値を調整することで、振動を適正に減衰することができる。更に、回転軸１にねじり振動が発生したときに、電磁石１９に通電して磁力を発生させるようにすればよく、消費電力を低減することができる。
【実施例１０】
【００８４】
図１２は、本発明の実施例１０に係る振動低減ダンパを表す一部切欠側面図である。なお、前述した実施例で説明したものと同様の機能を有する部材には同一の符号を付して重複する説明は省略する。
【００８５】
実施例１０の振動低減ダンパにおいて、図１２に示すように、回転軸１に環状体２１が固定され、この環状体２１内に周方向に沿ってダンパ室２２が形成されており、このダンパ室２２内に移動体及び第２円板としてのリング形状をなすディスク２３が収納されている。そして、環状体２１には、このディスク２３の移動に対して所定の抵抗力を付与する抵抗力付与手段としての防振ゴム２４が設けられている。即ち、環状体２１は、回転軸１に固定されると共に、所定の隙間をもって対向する一対の第１円板としての支持ディスク２１ａ，２１ｂからなり、この支持ディスク２１ａ，２１ｂの間にそれぞれ防振ゴム２４を介してディスク２３が挟持されている。
【００８６】
このように構成された本実施例の振動低減ダンパでは、回転機械の運転時に、回転軸１に発生したねじり振動に対して、ディスク２３が防振ゴム２４の抵抗力（弾性力）を受けながら、ダンパ室２２内を相対移動することでダンピングが機能し、振動を確実に減衰することができる。
【００８７】
このように実施例１０の振動低減ダンパにあっては、回転軸１に支持ディスク２１ａ，２１ｂからなる環状体２１を固定し、この支持ディスク２１ａ，２１ｂの間に防振ゴム２４を介してディスク２３を挟持している。
【００８８】
従って、回転軸１のねじり振動に対して、ディスク２３が防振ゴム２４の抵抗力を受けながら、ダンパ室２２内を回転軸１の周方向に相対移動することで、振動を確実に減衰することができる。また、支持ディスク２１ａ，２１ｂの間に防振ゴム２４を介してディスク２３を挟持するだけでよく、簡単で、且つ、安価な構成で、確実に振動を減衰することができる。
【実施例１１】
【００８９】
図１３は、本発明の実施例１１に係る振動低減ダンパを表す一部切欠側面図である。なお、前述した実施例で説明したものと同様の機能を有する部材には同一の符号を付して重複する説明は省略する。
【００９０】
実施例１１の振動低減ダンパにおいて、図１３に示すように、回転軸１に環状体２５が固定され、この環状体２５内に周方向に沿って溝状をなす環状溝としてのダンパ室２６が形成されており、このダンパ室２６内に移動体としてのリング形状をなすディスク２７が収納されている。そして、環状体２５には、このディスク２７の移動に対して所定の抵抗力を付与する抵抗力付与手段としての防振ゴム２８が設けられている。即ち、環状体２５に形成されたダンパ室２６には、防振ゴム２８を介してディスク２７が嵌着されている。
【００９１】
このように構成された本実施例の振動低減ダンパでは、回転機械の運転時に、回転軸１に発生したねじり振動に対して、ディスク２７が防振ゴム２８の抵抗力（弾性力）を受けながら、ダンパ室２６内を相対移動することでダンピングが機能し、振動を確実に減衰することができる。
【００９２】
このように実施例１１の振動低減ダンパにあっては、回転軸１に環状体２５を固定し、環状のダンパ室２６内に防振ゴム２８を介してディスク２７を嵌着している。
【００９３】
従って、回転軸１のねじり振動に対して、ディスク２７が防振ゴム２８の抵抗力を受けながら、ダンパ室２６内を回転軸１の周方向に相対移動することで、振動を確実に減衰することができる。また、環状体２５内に防振ゴム２８を介してディスク２７を挟持するだけでよく、簡単で、且つ、安価な構成で、確実に振動を減衰することができる。
【実施例１２】
【００９４】
図１４は、本発明の実施例１２に係る振動低減ダンパを表す一部切欠正面図である。なお、前述した実施例で説明したものと同様の機能を有する部材には同一の符号を付して重複する説明は省略する。
【００９５】
実施例１２の振動低減ダンパにおいて、図１４に示すように、回転軸１に環状体２５が固定され、この環状体２５内に周方向に沿って溝状をなす環状溝としてのダンパ室２６が形成されている。そして、このダンパ室２６内に移動体としての扇形をなす扇体２９と、抵抗力付与手段としての扇形をなす防振ゴム３０とが周方向に沿って交互に収納されている。
【００９６】
このように構成された本実施例の振動低減ダンパでは、回転機械の運転時に、回転軸１に発生したねじり振動に対して、扇体２９が防振ゴム３０の抵抗力（弾性力）を受けながら、ダンパ室２６内を相対移動することでダンピングが機能し、振動を確実に減衰することができる。
【００９７】
このように実施例１２の振動低減ダンパにあっては、回転軸１に環状体２５を固定し、環状のダンパ室２６内に扇体２９と防振ゴム３０を周方向に沿って交互に収納している。
【００９８】
従って、回転軸１のねじり振動に対して、扇体２９が防振ゴム３０の抵抗力を受けながら、ダンパ室２６内を回転軸１の周方向に相対移動することで、振動を確実に減衰することができる。また、環状体２５内に扇体２９と防振ゴム３０を交互に収納するだけでよく、簡単で、且つ、安価な構成で、確実に振動を減衰することができる。また、回転軸１に発生したねじり振動の大きさに応じて扇体２９の質量を調整することで、振動を適正に減衰することができる。
【実施例１３】
【００９９】
図１５−１は、本発明の実施例１３に係る振動低減ダンパを表す正面図、図１５−２は、実施例１３の振動低減ダンパを表す側面図である。なお、前述した実施例で説明したものと同様の機能を有する部材には同一の符号を付して重複する説明は省略する。
【０１００】
実施例１３の振動低減ダンパにおいて、図１５−１及び図１５−２に示すように、回転軸１にリング形状をなす環状体３１が固定され、この環状体３１の平面部に対向して周方向に均等間隔で移動体としての扇形をなす複数のディスク３２を配置し、環状体３１と各ディスク３２とが弾性手段としての板ばね３３により連結されている。
【０１０１】
このように構成された本実施例の振動低減ダンパでは、回転機械の運転時に、回転軸１に発生したねじり振動に対して、各ディスク３２が板ばね３３の抵抗力（弾性力）を受けながら、周方向に沿って相対移動することでダンピングが機能し、振動を確実に減衰することができる。
【０１０２】
このように実施例１３の振動低減ダンパにあっては、回転軸１に環状体３１を固定し、環状体３１の平面部に対向して周方向に均等間隔で複数のディスク３２を配置し、環状体３１と各ディスク３２とを板ばね３３により連結することで、質点−ばね系を構成している。
【０１０３】
従って、回転軸１のねじり振動に対して、ディスク３２が板ばね３３の抵抗力を受けながら、回転軸１の周方向に相対移動することで、振動を確実に減衰することができる。また、回転軸１に発生したねじり振動の大きさに応じてディスク３２の質量や数を調整することで、振動を適正に減衰することができる。
【実施例１４】
【０１０４】
図１６は、本発明の実施例１４に係る振動低減ダンパを表す正面図である。なお、前述した実施例で説明したものと同様の機能を有する部材には同一の符号を付して重複する説明は省略する。
【０１０５】
実施例１４の振動低減ダンパにおいて、図１６に示すように、回転軸１に、この回転軸１の振動を低減するリング形状をなす環状体３４が固定されており、この環状体３４は、周方向に均等間隔で配置され、それぞれＴ形形状をなす複数（本実施例では、８個）の振動低減要素３５，３６から構成されている。この振動低減要素３５，３６は、基端部が回転軸１の外周面に固定されて弾性力を有する支持部材３５ａ，３６ａと、この支持部材３５ａ，３６ａの先端部に周方向に沿って設けられて隣接する端部同士が接触すると共に周方向に沿って摺動自在な摺動部材３５ｂ，３６ｂとから構成されている。この場合、振動低減要素３５，３６は周方向に沿って交互に配置され、一方の摺動部材３５ａの各端部に対して、他方の摺動部材３６ｂの各端部が回転軸１の径方向における外側に位置し、互いに重なり合っている。そして、摺動部材３５ｂ，３６ｂは、回転軸１の周方向に沿った接触面３７を有することで摩擦抵抗を発生させることができると共に、隙間部３８を有することで動き代を確保するようにしている。
【０１０６】
このように構成された本実施例の振動低減ダンパでは、回転機械の運転時に、回転軸１に発生したねじり振動に対して、各振動低減要素３５，３６は、支持部材３５ａ，３６ａから抵抗力（弾性力）を受けると共に、摺動部材３５ｂ，３６ｂ同士の接触面３７から抵抗力（摩擦力）を受けながら、周方向に沿って相対移動することでダンピングが機能し、振動を確実に減衰することができる。
【０１０７】
このように実施例１４の振動低減ダンパにあっては、回転軸１に複数の振動低減要素３５，３６からなる環状体３４を固定し、この振動低減要素３５，３６を、基端部が回転軸１の外周面に固定されて弾性力を有する支持部材３５ａ，３６ａと、この支持部材３５ａ，３６ａの先端部に周方向に沿って設けられて隣接する端部同士が接触すると共に周方向に沿って摺動自在な摺動部材３５ｂ，３６ｂとから構成している。
【０１０８】
従って、回転軸１のねじり振動に対して、各振動低減要素３５，３６は、支持部材３５ａ，３６ａから弾性力を受けると共に、摺動部材３５ｂ，３６ｂ同士の接触面３７から摩擦力を受けながら、回転軸１の周方向に相対移動することで、振動を確実に減衰することができる。
【実施例１５】
【０１０９】
図１７は、本発明の実施例１５に係る振動低減ダンパを表す正面図である。なお、前述した実施例で説明したものと同様の機能を有する部材には同一の符号を付して重複する説明は省略する。
【０１１０】
実施例１５の振動低減ダンパにおいて、図１７に示すように、回転軸１に、この回転軸１の振動を低減するリング形状をなす環状体３４が固定されており、この環状体３４は、周方向に均等間隔で配置され、それぞれＴ形形状をなす複数の振動低減要素３５，３６から構成されている。この振動低減要素３５，３６は、支持部材３５ａ，３６ａと摺動部材３５ｂ，３６ｂとからなり、この摺動部材３５ｂ，３６ｂの各端部同士が接触するその鉤状をなす接触部に防振ゴム３９が介装されている。
【０１１１】
このように構成された本実施例の振動低減ダンパでは、回転機械の運転時に、回転軸１に発生したねじり振動に対して、各振動低減要素３５，３６は、支持部材３５ａ，３６ａから抵抗力（弾性力）を受けると共に、摺動部材３５ｂ，３６ｂ同士の間に設けられた防振ゴム３９から抵抗力（摩擦力及び弾性力）を受けながら、周方向に沿って相対移動することでダンピングが機能し、振動を確実に減衰することができる。
【０１１２】
このように実施例１５の振動低減ダンパにあっては、回転軸１に複数の振動低減要素３５，３６からなる環状体３４を固定し、この振動低減要素３５，３６を、基端部が回転軸１の外周面に固定されて弾性力を有する支持部材３５ａ，３６ａと、この支持部材３５ａ，３６ａの先端部に周方向に沿って設けられて隣接する端部同士が接触すると共に周方向に沿って摺動自在な摺動部材３５ｂ，３６ｂとから構成し、この摺動部材３５ｂ，３６ｂの各端部同士が接触するその接触部に防振ゴム３９を介装している。
【０１１３】
従って、回転軸１のねじり振動に対して、各振動低減要素３５，３６は、支持部材３５ａ，３６ａから弾性力を受けると共に、摺動部材３５ｂ，３６ｂ同士の接触部から摩擦力及び弾性力を受けながら、回転軸１の周方向に相対移動することで、振動を確実に減衰することができる。
【０１１４】
なお、この実施例１５では、摺動部材３５ｂ，３６ｂの各端部同士が接触するその接触部に防振ゴム３９を介装したが、この接触部にワイヤメッシュを介装することで、摩擦抵抗を調整したり、フッ素樹脂をコーティングすることで、耐久性を向上させるようにしてもよい。
【実施例１６】
【０１１５】
図１８−１は、本発明の実施例１６に係る振動低減ダンパを表す一部切欠正面図、図１８−２は、実施例１６の振動低減ダンパを表す一部切欠側面図である。なお、前述した実施例で説明したものと同様の機能を有する部材には同一の符号を付して重複する説明は省略する。
【０１１６】
実施例１６の振動低減ダンパにおいて、図１８−１及び図１８−２に示すように、回転軸１に中空の環状体４１が固定され、この環状体４１内に周方向に沿ったダンパ室４２が形成されている。一方、回転軸１の外周面には、周方向に均等間隔に配置された複数の板部材４３の基端部が固定されており、この各板部材４３はばね製であり、ダンパ室４２内に周方向に均等間隔で位置することとなる。そして、このダンパ室２６内に抵抗力付与手段としての粘性流体４４が封入されている。
【０１１７】
このように構成された本実施例の振動低減ダンパでは、回転機械の運転時に、回転軸１に発生したねじり振動に対して、各板部材４３が粘性流体４４の抵抗力を受けながら、ダンパ室４２内を回転軸１の周方向に相対移動することでダンピングが機能し、且つ、粘性流体４４を圧縮することでスクイーズ効果により振動を確実に減衰することができる。
【０１１８】
このように実施例１６の振動低減ダンパにあっては、回転軸１に環状体４１を固定し、環状のダンパ室４２内に位置するように、周方向に均等間隔に配置された複数の板部材４３の基端部を回転軸１に固定すると共に、ダンパ室２６内に粘性流体４４を封入している。
【０１１９】
従って、回転軸１のねじり振動に対して、板部材４３が粘性流体４４の抵抗力を受けながら、ダンパ室４２内を回転軸１の周方向に相対移動することで、振動を確実に減衰することができる。
【０１２０】
なお、上述した各実施例では、回転軸１のねじり振動や縦振動を減衰するようにしたが、回転軸１のねじり振動だけを減衰する実施例については、回転軸の軸方向に対して移動体の前後に抵抗付与手段などを配設すれば、回転軸１の縦振動を減衰することができる。
【産業上の利用可能性】
【０１２１】
本発明に係る振動低減ダンパは、回転軸に発生するねじり振動や縦振動などを簡単且つ安価な構成で確実に減衰するものであり、各種の回転機械に適用して有用である。
【図面の簡単な説明】
【０１２２】
【図１−１】本発明の実施例１に係る振動低減ダンパを表す一部切欠正面図である。
【図１−２】実施例１の振動低減ダンパを表す一部切欠側面図である。
【図２】実施例１の振動低減ダンパの製造方法を表す断面図である。
【図３−１】本発明の実施例２に係る振動低減ダンパを表す一部切欠正面図である。
【図３−２】実施例２の振動低減ダンパを表す一部切欠側面図である。
【図４】実施例２の振動低減ダンパの製造方法を表す断面図である。
【図５−１】本発明の実施例３に係る振動低減ダンパを表す一部切欠正面図である。
【図５−２】実施例３の振動低減ダンパを表す一部切欠側面図である。
【図６−１】本発明の実施例４に係る振動低減ダンパを表す一部切欠正面図である。
【図６−２】実施例４の振動低減ダンパを表す一部切欠側面図である。
【図７−１】本発明の実施例５に係る振動低減ダンパを表す一部切欠正面図である。
【図７−２】実施例５の振動低減ダンパを表す一部切欠側面図である。
【図８】本発明の実施例６に係る振動低減ダンパを表す一部切欠正面図である。
【図９】本発明の実施例７に係る振動低減ダンパを表す一部切欠正面図である。
【図１０】本発明の実施例８に係る振動低減ダンパを表す一部切欠正面図である。
【図１１】本発明の実施例９に係る振動低減ダンパを表す一部切欠正面図である。
【図１２】本発明の実施例１０に係る振動低減ダンパを表す一部切欠側面図である。
【図１３】本発明の実施例１１に係る振動低減ダンパを表す一部切欠側面図である。
【図１４】本発明の実施例１２に係る振動低減ダンパを表す正面図である。
【図１５−１】本発明の実施例１３に係る振動低減ダンパを表す正面図である。
【図１５−２】実施例１３の振動低減ダンパを表す側面図である。
【図１６】本発明の実施例１４に係る振動低減ダンパを表す正面図である。
【図１７】本発明の実施例１５に係る振動低減ダンパを表す正面図である。
【図１８−１】本発明の実施例１６に係る振動低減ダンパを表す一部切欠正面図である。
【図１８−２】実施例１６の振動低減ダンパを表す一部切欠側面図である。
【符号の説明】
【０１２３】
１  回転軸
２，２１，２５，３１，３４  環状体
３，７，１２，２２，２６  ダンパ室
４  球体（移動体、転動体）
５，１５  粘性流体（抵抗付与手段）
８  円柱体（移動体、転動体）
９，１４，２４，２８，３０，３９  防振ゴム（抵抗付与手段）
１３，２９  扇体（移動体）
１６  オリフィス通路
１７  第１永久磁石（移動体）
１８  第２永久磁石（抵抗付与手段）
１９  電磁石（抵抗付与手段）
２３  ディスク（移動体、第２円板）
２７，３２  ディスク（移動体）
３３  板ばね（弾性部材）
３５，３６  振動低減要素
３５ａ，３６ａ  支持部材
３５ｂ，３６ｂ  摺動部材
【図１−１】
2007182986.tif 000003
【図１−２】
2007182986.tif 000004
【図２】
2007182986.tif 000005
【図３−１】
2007182986.tif 000006
【図３−２】
2007182986.tif 000007
【図４】
2007182986.tif 000008
【図５−１】
2007182986.tif 000009
【図５−２】
2007182986.tif 000010
【図６−１】
2007182986.tif 000011
【図６−２】
2007182986.tif 000012
【図７−１】
2007182986.tif 000013
【図７−２】
2007182986.tif 000014
【図８】
2007182986.tif 000015
【図９】
2007182986.tif 000016
【図１０】
2007182986.tif 000017
【図１１】
2007182986.tif 000018
【図１２】
2007182986.tif 000019
【図１３】
2007182986.tif 000020
【図１４】
2007182986.tif 000021
【図１５−１】
2007182986.tif 000022
【図１５−２】
2007182986.tif 000023
【図１６】
2007182986.tif 000024
【図１７】
2007182986.tif 000025
【図１８−１】
2007182986.tif 000026
【図１８−２】
2007182986.tif 000027